(57)【特許請求の範囲】
【請求項１】
積載した用紙を分離爪により一枚毎分離させる給紙カセットにおいて、前記分離爪の前記用紙の搬送方向前端部コーナを覆う部分に、該用紙を覆う適正範囲を表示したことを特徴とする給紙カセット。
【請求項２】
積載した用紙を分離爪により一枚毎分離させる給紙カセットにおいて、前記用紙の側端部を規正するサイドフェンスと、このサイドフェンスに支持される分離爪とを備えるとともに、前記分離爪の前記用紙の搬送方向前端部コーナを覆う部分に該記用紙を覆う適正範囲を示す部材を設けたことを特徴とする給紙カセット。
【請求項３】
積載した用紙を分離爪により一枚毎分離させる給紙カセットにおいて、前記用紙の側端部を規正するサイドフェンスと、このサイドフェンスに支持される分離爪とを備えるとともに、前記分離爪の前記用紙の搬送方向前端部コーナを覆う部分に該用紙を覆う適正範囲を示す印を付けたことを特徴とする給紙カセット。
【請求項４】
積載した用紙を分離爪により一枚毎分離させる給紙カセットにおいて、前記用紙の一方の側端部を規正する第１サイドフェンスと、他方の側端部を規正する第２サイドフェンスと、前記第１サイドフェンスに支持される第１分離爪と、前記第２サイドフェンスに支持される第２分離爪と、前記第１または第２分離爪の一方に、前記用紙の搬送方向前端部コーナを覆う部分に前記用紙を覆う適正範囲を示す部材を設け、前記第１または第２分離爪の他方に前記用紙を覆う適正範囲を示す印を付けたことを特徴とする給紙カセット。
【請求項５】
前記分離爪に示す前記適正範囲を、該分離爪本体とは異なる色にしたことを特徴とする請求項２又は３に記載の給紙カセット。
【発明の詳細な説明】
【０００１】
【産業上の利用分野】
本願発明は、複写機、レーザプリンタ、ファクシミリ等の画像形成装置に装着して、用紙を分離爪にて一枚毎分離し供給する給紙カセットに関する。
【０００２】
【従来の技術】
図８は画像形成装置に装着された給紙カセットの概要を示す構成図である。
１は用紙が装填される給紙カセット、２は用紙Ｐが載置される底板、３は前記用紙の搬送方向前端部コーナに掛止する分離爪、４は分離爪の上流側に位置して前記用紙を一枚毎給送する給紙コロ、５は前記分離爪を支持する支軸、６は底板２の揺動端を上方に付勢するスプリング、７は底板２の揺動支点である支点軸である。
尚、給紙カセット１の紙幅方向には用紙の幅方向を規正する図示しないサイドフェンスが備えられている。
【０００３】
このような構成において、給紙カセット１に装填された用紙Ｐは、底板２を介して付勢手段であるスプリング６によって搬送方向前端部が上方に付勢され、その上方に付勢された用紙Ｐの搬送方向前端部コーナを分離爪３の爪部３ａが掛止する。この状態で給紙コロ４を矢印方向に回転させることにより、用紙が搬送方向に押し出され爪部３ａの掛止によって用紙Ｐは湾曲する。このとき給紙コロ４と用紙Ｐとの摩擦力が用紙Ｐ間の摩擦力よりも大きいため、最上部の用紙Ｐが最も湾曲して爪部３ａを乗り越えて搬送されていく。このように分離爪３の爪部３ａが用紙Ｐの搬送方向前端部コーナを適正に覆うことで、用紙Ｐが分離され給紙されていく。
【０００４】
給紙カセット１は、一般的に単サイズの用紙のみを装填するものと、複数種サイズの異なったものを装填可能とするものがあり、いずれも用紙の装填、補充がある。また複数種サイズの装填が可能なものは頻繁に用紙サイズの入れ替えが行われ、その都度、用紙サイズの幅方向に合わせてサイドフェンスを移動させている。このときサイドフェンスに備えられている分離爪もサイドフェンスに伴って移動する。このサイドフェンスの移動はユーザが行うようになっており、その作業者によっては、サイドフェンスを用紙幅方向端に突き当てる度合いが異なり、サイドフェンスと用紙端部との間に隙間が生じるようなことも度々生じる。したがってサイドフェンスに備えられている分離爪の爪部３ａが、用紙Ｐの搬送方向前端部コーナを適切に覆わず、用紙分離時には用紙の不送りあるいは重送という問題を起こしていた。
【０００５】
本発明は、給紙カセットに装填する用紙幅に対応して移動させる分離爪の位置設定を、的確に指示できるようにして用紙の分離不能、不送り、重送等を防止する給紙カセットを提供するのを目的とする。
【０００６】
【課題を解決するための手段】
上記目的を達成するために請求項１に係る発明では、分離爪の用紙の搬送方向前端部コーナを覆う部分に、該用紙を覆う適正範囲を表示したことを特徴とする。
【０００７】
また請求項２に係る発明では、用紙の側端部を規正するサイドフェンスと、このサイドフェンスに支持される分離爪とを備えるとともに、前記分離爪の前記用紙の搬送方向前端部コーナを覆う部分に、該用紙を覆う適正範囲を示す部材を設けたことを特徴とする。
【０００８】
また請求項３に係る発明では、用紙の側端部を規正するサイドフェンスと、このサイドフェンスに支持される分離爪とを備えるとともに、前記分離爪の前記用紙の搬送方向前端部コーナを覆う部分に、前記用紙を覆う適正範囲を示す印を付けたことを特徴とする。
【０００９】
また請求項４に係る発明では、用紙の一方の側端部を規正する第１サイドフェンスと、他方の側端部を規正する第２サイドフェンスと、第１サイドフェンスに支持される第１分離爪と、第２サイドフェンスに支持される第２分離爪と、前記第１または第２分離爪の一方に用紙の搬送方向前端部コーナを覆う部分に、前記用紙を覆う適正範囲を示す部材を設け、前記第１または第２分離爪の他方に前記用紙を覆う適正範囲を示す印を付けたことを特徴とする。
【００１０】
また請求項５に係る発明では、前記分離爪に示す前記適正範囲を、該分離爪本体とは異なる色にしたことを特徴とする。
【００１１】
【作用】
請求項１記載の構成によれば、分離爪の用紙の搬送方向前端部コーナを覆う部分に、その適正範囲を表示したので、用紙を装填するとき、補充するときあるいはサイズの異なる用紙を装填するときに移動させるサイドフェンスを一旦移動し分離爪の位置が変位しても、分離爪の用紙の搬送方向前端部コーナを覆う部分の適切な位置を認識できるとともに、分離爪位置を適切にセットができる。
【００１２】
また請求項２記載の構成によれば、分離爪の用紙の搬送方向前端部コーナを覆う部分に、その適正範囲を示す部材を設けたので、用紙を装着するとき、補充するときあるいはサイズの異なる用紙を装着するときに、サイドフェンスに備えられている分離爪の位置が変わっても、分離爪の用紙の搬送方向前端部コーナを覆う部分の適切な位置を認識でき、かつ適切な分離爪位置をセットできる。
【００１３】
また請求項３記載の構成によれば、分離爪の用紙の搬送方向前端部コーナを覆う部分に、その適正範囲を示すラインを形成させたので、用紙を装填するとき、補充するときあるいはサイズの異なる用紙を装填するときに、サイドフェンスに備えられている分離爪の位置が変わっても、分離爪の用紙の搬送方向前端部コーナを覆う部分の適切な位置を認識でき、かつ適切な分離爪位置をセットできる。
【００１４】
また請求項４記載の構成によれば、分離爪の一方に、分離爪の用紙の搬送方向前端部コーナを覆う部分にその適正範囲を示す部材を設け、他方に分離爪の用紙の搬送方向前端部コーナを覆う部分に、その適正範囲を示す印を形成させたので、一方と他方の分離爪の重量が異なる場合、あるいは一方と他方の分離爪の形状が異なる場合に、前記適正範囲を示す部材を軽い分離爪に設けて分離爪の重量を同一にすることができる。よって双方の分離爪の重量バランスがとれ、バランスの悪い場合に生じる用紙スキューを防止できる。
【００１５】
また請求項５記載の構成によれば、分離爪の用紙の搬送方向前端部コーナを覆う部分に、その適正範囲を示す部分である部材あるいは印を分離爪と異なる色にしたので、用紙を装填するとき補充するときあるいはサイズの異なる用紙を装填するときに、サイドフェンスに備えられている分離爪の位置が変わっても、分離爪の用紙の搬送方向前端部コーナを覆う部分の適切な位置を認識でき、かつ適切な分離爪位置をセットできる。
【００１６】
【実施例】
本願発明の実施例について説明する。なお、図８に示した従来の構成における部材と同一の部材に対しては同一の符号を付して詳細な説明は省略する。
【００１７】
図１は、本願発明の実施例に係る給紙カセットの平面図を示したものである。図において、可動側分離爪８は、装填する用紙幅に応じて可動する可動サイドフェンス１０側に、固定側分離爪９は給紙カセット１′の固定サイドフェンス１１側に備えられているもので、各分離爪とも底板２に装填された用紙を一枚毎分離する爪部８ａ，９ａを有している。また可動側分離爪８及び固定側分離爪９は、各側部である可動サイドフェンス１０と固定サイドフェンス１１に設けられている支軸５ａ，５ｂに回動自在に支持されている。またガイド溝１２は可動サイドフェンス１０を用紙幅方向に案内するもので、エンドフェンス１３は用紙の長さ方向を規正しているものである。スライド溝１４はエンドフェンス１３を用紙搬送方向に移動させる案内溝である。
【００１８】
このような給紙カセット１′において、いままで使用していた用紙幅とは異なる用紙幅を装填する必要が生じた場合には、装填する用紙幅に応じて可動サイドフェンス１０を用紙幅方向に移動させて広げるかあるいは狭めるかして一旦仮位置まで移動させ、固定サイドフェンス１１と可動サイドフェンス１０との間に用紙を装填した後、可動サイドフェンス１０を用紙幅端に突き当て、その突き当たったところで固定する。そのときエンドフェンス１３も用紙の後端側を規正するため必要に応じて移動させる。
【００１９】
図２は本願発明の第１及び第２実施例に係る分離爪の斜視図を示したものである。図２（ａ）は可動サイドフェンス１０に備えられる可動側分離爪８の構成を示したもので、この可動側分離爪８の一端側には用紙の搬送方向前端部コーナを覆う爪部８ａが形成され、他端側には、可動サイドフェンス１０の支軸５ａに支持される孔部８ｂが形成されている。また爪部８ａの上部には用紙のコーナを覆う適正範囲を示す第１部材１５が備えられている。また図２（ｂ）は固定サイドフェンス１１に備えられる固定側分離爪９の構成を示したもので、この固定側分離爪９の一端側には用紙の搬送方向前端部コーナを覆う爪部９ａが形成され、他端側には固定サイドフェンス１１の支軸５ｂに支持される孔部９ｂが形成されている。また爪部９ａの上部には用紙のコーナを覆う適正範囲を示す第２部材１６が備えられている。
この可動側分離爪８及び固定側分離爪９は一対で給紙カセット１に備えられ各可動サイドフェンス１０及び固定サイドフェンス１１に支持されている。また各爪部８ａ，９ａの内側は分離爪自体の荷重で用紙上面に当接している。この荷重は最上位用紙が爪部を乗り越えるに必要な重さに予め設定され、用紙が分離し易いようになっている。従って爪部８ａ，９ａの用紙の搬送方向前端部コーナを覆う位置が適正でないと分離性能に影響し、分離不能、用紙スキューが生じることになる。そのため適正位置を指示する第１部材１５が爪部８ａの上部に、また第２部材１６が爪部９ａの上部に設けられ、前記コーナを覆う爪部８ａ及び９ａが適正範囲内かどうか目視することができる。このときに適正範囲から外れている場合は、可動サイドフェンス１０を移動させて爪部８ａ及び９ａの位置を矯正する。
【００２０】
図３は本願発明の第３実施例に係る分離爪の斜視図を示したものである。図３（ａ）は可動サイドフェンス１０に備えられる可動側分離爪２０の構成を示したもので、この可動側分離爪２０の一端側には用紙の搬送方向前端部コーナを覆う爪部２０ａが形成され、他端側には、可動サイドフェンス１０の支軸５ａに支持される孔部２０ｂが形成されている。また爪部２０ａの上部には用紙の前記コーナを覆う適正範囲を示す印であるＬライン１７が付されている。また図３（ｂ）は固定サイドフェンス１１に備えられる固定側分離爪２１の構成を示したもので、この固定側分離爪２１の一端側には用紙の搬送方向前端部コーナを覆う爪部２１ａが形成され、他端側には固定サイドフェンス１１の支軸５ｂに支持される孔部２１ｂが形成されている。また爪部２１ａの上部には前記コーナを覆う適正範囲を示す印であるＭライン１８が付されている。この適正範囲を示すＬライン１７及びＭライン１８は、爪部２０ａ及び２１ａが前記コーナを覆うときの適正範囲内にあるかどうかを示すもので、目視で容易に確認できるようになっている。従って適正範囲から外れている場合は、可動サイドフェンス１０を移動させて爪部２０ａ及び２１ａの位置を矯正する。
【００２１】
図４は本願発明の第４実施例に係る分離爪の部分図を示したものである。図は用紙の搬送方向前端部コーナとそのコーナを覆う爪部８ａ及び爪部２１ａを示している。また爪部８ａの上部には前記コーナを覆うための適正範囲を示す第１部材１５が備えられ、爪部２１ａの上部には前記コーナを覆うための適正範囲を示すＭライン１８が印されている。図中のＡは爪部８ａ，２１ａが前記コーナを覆うときの適正領域を示したものである。
このように第１部材１５を備えた爪部８ａとＭライン１８を付した爪部２１ａを一対で用いることにより、左右の分離爪自体の形状が異なる場合あるいは分離爪の支点位置が異なる場合に、いずれか用紙上面にかかる面積当たりの荷重の軽い方に第１部材１５を爪部に備えて、爪部８ａ，２１ａの用紙にかかる荷重差を調整することができる。よって左右の分離爪の分離性能に差がなくなり、用紙を分離するタイミングのズレ、ひっかかり等が防止できる。
【００２２】
図５は本願発明の第４実施例に係る分離爪圧と分離爪の用紙の搬送方向前端部コーナを覆う量との関係を示した図である。この図では、適正領域Ｂで示す範囲が分離爪圧とそれに対応した分離爪の前記コーナを覆う量の適正関係を示している。したがって分離爪圧が重い場合には分離爪の前記コーナを覆う領域が、分離爪圧が軽いものより少ない領域になり、用紙に対する面積当たりの荷重バランスをとるようにしている。したがって一対の分離爪において、分離爪自体の重さが異なるような場合、用紙を覆う爪部の形状が異なる場合には、適正領域Ｂに入るように分離圧あるいは用紙を覆う領域を調整すればバランスが保持できる。また図において重送領域Ｃは分離爪による用紙押圧の荷重が面積当たり所定荷重より低下する領域で、頻繁に用紙が重送し分離不能を生じさせる範囲である。また不送り領域Ｄは分離爪による用紙押圧の荷重が面積当たりの所定荷重より高い領域で、頻繁に用紙が不送りし分離が不能になる領域である。この場合には用紙のジャムが生じ用紙が詰まる状態になる。
【００２３】
図６及び７は本願発明の第５実施例に係る分離爪を示した図である。可動側分離爪３０は、その爪部３０ａの上部に彩色部材３１を備えている。この彩色部材３１は可動側分離爪３０本体とは異なる色になっており、彩色部材３１の位置が明確に識別できるようになっている。また可動側分離爪３２はその爪部３２ａの上部に彩色印である彩色ライン３３を形成し、この彩色ライン３３は可動側分離爪３２本体とは異なる色になっており、彩色ライン３３の位置が明確に識別できるようになっている。このようにすることで爪部３０ａあるいは爪部３２ａに用紙の搬送方向前端部コーナを覆う適正な領域を容易に確認でき、分離爪の位置設定ができる。
尚、上記の実施例は可動側分離爪に彩色部材あるいは彩色印を設けたが、これを固定側分離爪に設けてもよい。また彩色部材３１及び彩色ライン３３とも分離爪本体、さらには用紙と異なっている色であれば何色でもよい。
【００２４】
【発明の効果】
以上説明したように、請求項１に係る発明によれば、分離爪の用紙の搬送方向前端部コーナを覆う部分にその適正範囲を表示したことにより、給紙カセットのサイドフェンスを移動するような異なる用紙幅を入れ替えする場合に、適切に分離爪を用紙コーナを覆う部分に目視位置させることができる。よって用紙の分離不能である不送り、重送等が防止できる。さらに紙ジャム、紙詰まりの原因を調査し易くできるとともにメンテ効率の向上が図れる。
【００２５】
また請求項２に係る発明によれば、分離爪の用紙の搬送方向前端部コーナを覆う部分に、その適正範囲を示す部材を設けたことにより、上記請求項１の効果と同様な効果が得られる。
【００２６】
また請求項３に係る発明によれば、分離爪の用紙の搬送方向前端部コーナを覆う部分に、その適正範囲を示す印を付したことにより、、上記請求項１の効果の他に、爪部に印を付すことのみであるため、適正範囲を表示する専用の部材は必要なく、したがって部品の削減とコスト低減が図れる。
【００２７】
また請求項４に係る発明によれば、分離爪の一方に、分離爪の用紙の搬送方向前端部コーナを覆う部分に、その適正範囲を示す部材を設け、他方に用紙コーナを覆う部分に、その適正範囲を示す印を付したことにより、一対の分離爪間において形状、支点が異なるものでも簡単に荷重のバランスが得られる。よってスキューしない用紙分離が得られ、かつ不送り、重送のない分離性能が得られる。
【００２８】
請求項５に係る発明によれば、分離爪の用紙の搬送方向前端部コーナを覆う部分に、その適正範囲を示す部材あるいは印を分離爪と異なる色にしたことにより、給紙カセットのサイドフェンスを移動して異なる用紙幅を入れ替えする場合に、適切に分離爪の前記コーナを覆う部分を色識別で目視でき、適切に位置セットさせることができる。よって用紙の分離不能である不送り、重送等が防止できる。さらに紙ジャム、紙詰まりの原因を調査し易くできるとともにメンテ効率の向上も図れる。
【図面の簡単な説明】
【図１】本願発明の実施例に係る給紙カセットの平面図を示す。
【図２】本願発明の第１及び第２実施例に係る分離爪の斜視図を示す。
【図３】本願発明の第３実施例に係る分離爪の斜視図を示す。
【図４】本願発明の第４実施例に係る分離爪の部分図を示す。
【図５】本願発明の第４実施例に係る分離爪圧と分離爪の用紙の搬送方向前端部コーナを覆う量との関係図を示す。
【図６】本願発明の第５実施例に係る分離爪を示した斜視図を示す。
【図７】本願発明の第５実施例に係る他の分離爪を示した斜視図を示す。
【図８】従来の給紙カセットの構成図を示す。
【符号の説明】
１，１′…給紙カセット
２…底板
３…分離爪
３ａ…爪部
４…給紙コロ
５ａ，５ｂ…支軸
６…スプリング
７…支点軸
８，２０，３０，３２…可動側分離爪
８ａ，９ａ，２０ａ，２１ａ，３０ａ，３２ａ…爪部
８ｂ，９ｂ，２０ｂ，２１ｂ，３０ｂ，３２ｂ…孔部
９，２１…固定側分離爪
１０…可動サイドフェンス
１１…固定サイドフェンス
１２…ガイド溝
１３…エンドフェンス
１４…スライド溝
１５…第１部材
１６…第２部材
１７…Ｌライン
１８…Ｍライン
３１…彩色部材
３３…彩色ライン
【図１】
0003539605.tif 000002
【図２】
0003539605.tif 000003
【図３】
0003539605.tif 000004
【図４】
0003539605.tif 000005
【図５】
0003539605.tif 000006
【図６】
0003539605.tif 000007
【図７】
0003539605.tif 000008
【図８】
0003539605.tif 000009